(57)【要約】【課題】簡素な構成で、しかも、複雑な制御を要することなく、流量を変更可能なウォーターポンプを提供する。【解決手段】ウォーターポンプ１０は、駆動側回転体２０と、従動側回転体３０とを備え、駆動側回転体２０に設けられたマグネット２５と、従動側回転体３０に設けられた誘導リング３２との軸方向のオーバーラップ量を変更することにより、駆動側回転体２０から従動側回転体３０へ伝達される回転力の大きさを変更するように構成される。駆動側回転体２０には、マグネット２５を支持するスライド部材２４が設けられる。スライド部材２４は、作動流体が封入される作動室５０と、そのような作動流体が封入されていない空気室６０とを区画するように配設される。そして、作動流体が冷却水温度にしたがって膨張・収縮することでスライド部材２４が移動することにより上記オーバーラップ量が変更される。【選択図】図１
2009114907.tif 000002
【特許請求の範囲】
【請求項１】
駆動源からの駆動力が伝達されて回転する駆動側回転体と、ポンプインペラを有し且つ回転支軸によって回転自在に支持された従動側回転体とを備え、上記駆動側回転体および従動側回転体のうちの一方に設けられた磁性体と、他方に設けられた誘導体との相対的な対向位置を変更することにより、上記駆動側回転体から従動側回転体へ伝達される回転力の大きさを変更するように構成されたウォーターポンプにおいて、
上記駆動側回転体または従動側回転体には、上記磁性体および誘導体のうちの一方を支持する支持部材が設けられており、
上記支持部材は、冷却水温度にしたがって膨張・収縮可能な作動流体が封入される作動室と、そのような作動流体が封入されていない空気室とを区画するように配設されており、
上記支持部材は、上記作動流体が冷却水温度にしたがって膨張・収縮することによって移動され、この支持部材の移動により上記磁性体と誘導体との対向位置が変更されることを特徴とするウォーターポンプ。
【請求項２】
請求項１に記載のウォーターポンプにおいて、
上記作動流体が、熱膨張率が空気よりも大きい流体であることを特徴とするウォーターポンプ。
【請求項３】
請求項１に記載のウォーターポンプにおいて、
上記作動流体が、沸点が冷却水温度の変化する範囲内にある流体であることを特徴とするウォーターポンプ。
【請求項４】
請求項１に記載のウォーターポンプにおいて、
上記作動流体が、ジエチルエーテルであることを特徴とするウォーターポンプ。
【請求項５】
請求項１〜４のいずれか１つに記載のウォーターポンプにおいて、
上記支持部材は、回転軸方向に沿ってスライド可能に設けられており、この支持部材のスライド移動により上記磁性体と誘導体との回転軸方向のオーバーラップ量が変更されることで、上記駆動側回転体から従動側回転体へ伝達される回転力の大きさが変更されることを特徴とするウォーターポンプ。
【発明の詳細な説明】
【技術分野】
【０００１】
本発明は、水冷式エンジン等に用いられるウォーターポンプに関する。特に、本発明は、流量可変型のウォーターポンプの改良に関する。
【背景技術】
【０００２】
水冷式エンジン等に用いられるウォーターポンプとして、流量可変型（容量可変型とも呼ばれる）のものが知られている。この種のウォーターポンプにおいて、駆動源であるエンジンの駆動力を受けるウォーターポンププーリを含む駆動側回転体と、ポンプ渦流室に配設されたポンプインペラを含む従動側回転体とをそれぞれ配設し、駆動側回転体から従動側回転体への回転力の伝達を非接触の状態で行うようにしたものがある。具体的には、駆動側回転体に取り付けられた磁性体としてのマグネットと、従動側回転体に取り付けられた誘導体としての誘導リングとの間で回転力が伝達されて、ウォーターポンプが駆動されるようになっている。マグネットと誘導リングとは、所定の間隔をあけて対向して配置され、両者の間には、ステンレス製などの隔離壁（隔壁）が介在される。誘導リングは、例えば、鉄芯の外周にアルミニウム製のリング部材が取り付けられた構成となっている。
【０００３】
そして、上述のような非接触式のウォーターポンプにおいては、磁性体と誘導体との相対的な対向位置を変更することにより、駆動側回転体から従動側回転体へ伝達される回転力をエンジンの運転状態に応じて変更することによって、ウォーターポンプの流量（ポンプ吐出量）が変更されるようになっている。例えば、特許文献１には、マグネットを軸方向（回転軸方向）に沿ってスライドさせることによって、駆動側回転体から従動側回転体へ伝達される回転力を調整して流量を可変とするウォーターポンプが示されている。また、ウォーターポンプの上部に設けたアクチュエータにより、マグネットをスライドさせることが示されている。
【特許文献１】特開平１１−６４３３号公報
【発明の開示】
【発明が解決しようとする課題】
【０００４】
ところで、従来では、上述したような流量可変型のウォーターポンプにおいて、磁性体と誘導体との相対的な対向位置を変更するためのアクチュエータとして、例えば、負圧式のものや、電動式のものなどが利用される場合がある。しかし、この場合、アクチュエータの機構が複雑になり、コストアップや、搭載性の悪化が懸念される。また、アクチュエータの制御が複雑になるという問題点がある。例えば、負圧式のアクチュエータの場合、負圧を導入するための配管や切り換えバルブなどが必要になり、また、制御装置によって切り換えバルブの制御を行うにあたって、予めその適合が必要になり、そのための工数を要してしまう。
【０００５】
本発明は、そのような問題点を鑑みてなされたものであり、簡素な構成で、しかも、複雑な制御を要することなく、流量を変更可能なウォーターポンプを提供することを目的とする。
【課題を解決するための手段】
【０００６】
本発明は、上述の課題を解決するための手段を以下のように構成している。すなわち、本発明は、ウォーターポンプであって、駆動源からの駆動力が伝達されて回転する駆動側回転体と、ポンプインペラを有し且つ回転支軸によって回転自在に支持された従動側回転体とを備え、上記駆動側回転体および従動側回転体のうちの一方に設けられた磁性体と、他方に設けられた誘導体との相対的な対向位置を変更することにより、上記駆動側回転体から従動側回転体へ伝達される回転力の大きさを変更するように構成されている。そして、上記駆動側回転体または従動側回転体には、上記磁性体および誘導体のうちの一方を支持する支持部材が設けられており、上記支持部材は、冷却水温度にしたがって膨張・収縮可能な作動流体が封入される作動室と、そのような作動流体が封入されていない空気室とを区画するように配設されており、上記支持部材は、上記作動流体が冷却水温度にしたがって膨張・収縮することによって移動され、この支持部材の移動により上記磁性体と誘導体との対向位置が変更されることを特徴としている。
【０００７】
このような構成のウォーターポンプでは、作動流体の膨張・収縮による作動室の内圧の変化にともなって支持部材が移動することで、磁性体と誘導体との対向位置が変更され、駆動側回転体から従動側回転体へ伝達される回転力の大きさが変更される。これにより、ウォーターポンプの流量が変更される。そして、上記構成によれば、作動流体が冷却水温度にしたがって膨張・収縮することによって、上記対向位置が変更されるので、例えば、負圧式のアクチュエータや、電動式のアクチュエータを用いて上記対向位置を変更する構成に比べて、極めて簡素な構成によりウォーターポンプの流量を変更することができる。これにより、部品点数の削減やコストダウンを図ることができ、搭載性の向上を図ることができる。しかも、制御装置による複雑な制御を必要とすることなく、ウォーターポンプの流量を変更することができる。さらに、予め適合を行うことも不要になり、そのための工数を省くことができる。
【０００８】
本発明において、冷却水温度が変化する範囲で、上記対向位置を変更するのに必要な作動流体の膨張量（収縮量）を確保するには、作動流体として、熱膨張率が空気よりも大きい流体を用いることが好ましい。あるいは、作動流体として、沸点が冷却水温度の変化する範囲内にある流体を用いることが好ましい。このような作動流体としては、例えば、ジエチルエーテルが好適である。
【０００９】
本発明において、上記磁性体と誘導体との対向位置を変更する具体的な態様としては、例えば、上記支持部材を回転軸方向に沿ってスライド可能に設け、この支持部材のスライド移動により上記磁性体と誘導体との回転軸方向のオーバーラップ量を変更する構成が挙げられる。
【発明の効果】
【００１０】
本発明によれば、作動流体が冷却水温度にしたがって膨張・収縮することによって、磁性体と誘導体との対向位置が変更されるので、例えば、負圧式のアクチュエータや、電動式のアクチュエータを用いて磁性体と誘導体との対向位置を変更する構成に比べて、極めて簡素な構成によりウォーターポンプの流量を変更することができる。これにより、部品点数の削減やコストダウンを図ることができ、搭載性の向上を図ることができる。しかも、制御装置による複雑な制御を必要とすることなく、ウォーターポンプの流量を変更することができる。さらに、予め適合を行うことも不要になり、そのための工数を省くことができる。
【発明を実施するための最良の形態】
【００１１】
本発明を実施するための最良の形態について添付図面を参照しながら説明する。この実施形態は、自動車用エンジンに搭載され、エンジンからの駆動力を受けることで作動する車両用ウォーターポンプに本発明を適用した例について説明する。
【００１２】
−ウォーターポンプの全体構成−
まず、ウォーターポンプの全体的な構成について、図１を用いて説明する。図１は、実施形態に係るウォーターポンプの断面図である。
【００１３】
図１に示すように、ウォーターポンプ１０は、ポンプ筐体を構成するウォーターポンプハウジング１１が、エンジンのタイミングチェーンケース（ケース部材）１２にボルト１３によって一体的に取り付けられることで、エンジン前面（縦置きエンジンの場合には車両前方側の面、横置きエンジンの場合には車両側方側の面）に配設されている。
【００１４】
ウォーターポンプ１０は、ウォーターポンププーリ２１が設けられた駆動側回転体２０と、ポンプインペラ３１が設けられた従動側回転体３０と、駆動側回転体２０と従動側回転体３０との間を仕切る隔壁４０とを備えている。そして、駆動側回転体２０から従動側回転体３０への回転力の伝達が、後述するように、非接触の状態で行われるようになっている。
【００１５】
駆動側回転体２０は、ウォーターポンププーリ２１、取付プレート２２、駆動側ケーシング２３、スライド部材２４、および、磁性体としてのマグネット２５を備えており、これらが水平軸まわりに一体的に回転するように構成されている。駆動側回転体２０は、その水平軸まわりにほぼ回転対称な形状になっている。
【００１６】
ウォーターポンププーリ２１は、ボルト２６によって取付プレート２２に一体的に取り付けられている。ウォーターポンププーリ２１のベルト巻き掛け部２１ａの外周面には、補機ベルト１４が巻き掛けられている。補機ベルト１４は、エンジンのクランクシャフトに取り付けられた図示しないクランクプーリの他、種々の補機類に備えられたプーリに掛け渡されている。このため、エンジンの駆動時には、エンジンのクランクシャフトの回転駆動力が、補機ベルト１４を介して、各補機類に伝達されるとともに、ウォーターポンププーリ２１にも伝達され、このウォーターポンププーリ２１が水平軸まわりに回転するようになっている。
【００１７】
取付プレート２２は、駆動側ケーシング２３に一体的に取り付けられている。具体的に、取付プレート２２の内周側に設けられるボス部２２ａに、駆動側ケーシング２３の回転軸部２３ａの軸方向（回転軸方向）の一端部（図１の左端部）が相対回転不能に嵌め込まれている。
【００１８】
駆動側ケーシング２３は、軸方向に延びる上述の回転軸部２３ａと、この回転軸部２３ａの軸方向他端部（図１の右端部）の外周側に一体的に設けられるケース部２３ｂとを備えている。回転軸部２３ａは、ボールベアリング２７を介して、ウォーターポンプハウジング１１に回転自在に支持されている。また、回転軸部２３ａとウォーターポンプハウジング１１との間には、エアシール１６が設けられており、これにより、後述する作動室５０および空気室６０が外気（大気）から遮断されている。
【００１９】
回転軸部２３ａの中心部には、スライド部材２４のスライド軸部２４ａが挿入される挿入穴２３ｅが形成されている。回転軸部２３ａの軸方向一端部（左端部）は閉塞されている。この挿入穴２３ｅは、後述する作動室５０に連通している。ケース部２３ｂは、一方側（タイミングチェーンケース１２が配設されている側）が開放された有底円筒形状の部分であって、回転軸部２３ａの右端部から外周側に延びる円環部２３ｃと、この円環部２３ｃの外周縁から上記一方側に連続する円筒部２３ｄによって構成される。
【００２０】
スライド部材２４は、マグネット２５を支持する支持部材である。このスライド部材２４は、駆動側ケーシング２３の内側に収容されており、駆動側ケーシング２３に対し相対回転不能且つ軸方向に沿って摺動可能に設けられている。また、スライド部材２４は、後述する作動室５０と空気室６０とを区画するように配設されている。そして、スライド部材２４は、作動室５０に封入された作動流体の膨張・収縮にしたがって駆動側ケーシング２３に対しスライド移動して、その軸方向位置（スライド位置）が変更される構成となっている。図１は、スライド部材２４が最もタイミングチェーンケース１２側のスライド位置まで移動した状態を示し、図２は、スライド部材２４がタイミングチェーンケース１２側から最も離れたスライド位置まで移動した状態を示している。なお、作動室５０や作動流体などの詳細については後述する。
【００２１】
スライド部材２４は、具体的に、軸方向に延びるスライド軸部２４ａと、このスライド軸部２４ａの軸方向他端部（右端部）の外周側に一体的に設けられるマグネット支持部２４ｂとを備えている。スライド軸部２４ａは、駆動側ケーシング２３の回転軸部２３ａの内周面にスプライン嵌合等の手段によって相対回転不能且つ軸方向へのスライド移動可能に嵌め込まれている。
【００２２】
マグネット支持部２４ｂは、駆動側ケーシング２３のケース部２３ｂと同じく一方側（タイミングチェーンケース１２が配設されている側）が開放された有底円筒形状の部分であって、スライド軸部２４ａの右端部から外周側に延びる円板部２４ｃと、この円板部２４ｃの外周縁から上記一方側に連続する円筒部２４ｄによって構成される。円板部２４ｃは、駆動側ケーシング２３の円環部２３ｃと対向して設けられている。円筒部２４ｄの外周面は、駆動側ケーシング２３の円筒部２３ｄの内周面と摺接するように設けられている。円筒部２４ｄの外周面にはＯリング２８が設けられており、円筒部２３ｄの内周面との間を気密状態にシールしている。これにより、後述する作動室５０と空気室６０とが遮断されている。円筒部２４ｄの内周面には、リング状のマグネット（永久磁石）２５が一体的に取り付けられている。
【００２３】
従動側回転体３０は、上述した駆動側回転体２０に対して非接触状態に配設され且つその駆動側回転体２０からの回転力が伝達されて回転する構成となっている。従動側回転体３０は、ポンプインペラ３１、および、誘導体としての誘導リング３２を備えており、これらが水平軸まわりに一体的に回転するように構成されている。従動側回転体３０は、その水平軸まわりにほぼ回転対称な形状になっている。
【００２４】
ポンプインペラ３１は、タイミングチェーンケース１２の表面に設けられた凹陥部１２ａにより形成されるポンプ渦流室１２ｂに配設されている。ポンプインペラ３１は、軸方向に延びる回転支軸３３に水中軸受３４を介して回転自在且つ軸方向へのスライド移動が不能に支持されている。回転支軸３３は、タイミングチェーンケース１２に一体的に取り付けられている。そして、ポンプインペラ３１の回転によりポンプ渦流室１２ｂ内の冷却水がエンジンの冷却水通路に送り出され、これにより冷却水の循環動作が行われるようになっている。
【００２５】
誘導リング３２は、ポンプインペラ３１のボス部３１ａに回転一体に取り付けられている。誘導リング３２は、鉄芯３２ａの外周にアルミニウム製のリング部材３２ｂが取り付けられた構成となっている。誘導リング３２のリング部材３２ｂと駆動側回転体２０のマグネット２５とは同心状に配置されおり、径方向の内外で所定の間隔を隔てて配置されている。また、この誘導リング３２の配設位置としては、スライド部材２４が最もタイミングチェーンケース１２側のスライド位置まで移動した状態（図１の状態）では、その全体がマグネット２５に対向し、スライド部材２４がタイミングチェーンケース１２側とは反対側の最大スライド位置まで移動した状態（図２の状態）では、その全体がマグネット２５に対向しないように設定されている。
【００２６】
駆動側回転体２０が配設されている空間と従動側回転体３０が配設されている空間とは、ステンレス製（例えばＳＵＳ３０４など）の隔壁４０によって仕切られている。この隔壁４０は、駆動側回転体２０と従動側回転体３０との間の部分の形状に応じた形状になっており、具体的には、外周側に位置する外周側円環部４１と、この外周側円環部４１の内周側に連続する円筒部４２と、この円筒部４２の一端から内周側に延びる内周側円板部４３とを備えている。
【００２７】
外周側円環部４１の外周縁は、ウォーターポンプハウジング１１とタイミングチェーンケース１２との間で挟持されている。外周側円環部４１の外周縁とウォーターポンプハウジング１１との間にはＯリング１５が介在されている。
【００２８】
円筒部４２は、駆動側回転体２０のマグネット２５と従動側回転体３０の誘導リング３２との間に配設されており、これら両者２５，３２との間に僅かな隙間を存して配置されている。これにより、マグネット２５と誘導リング３２とは、スライド部材２４が図１に示すスライド位置にある場合には、円筒部４２を挟んで互いに対向配置されるようになっている。
【００２９】
また、内周側円板部４３は、駆動側回転体２０のスライド部材２４と従動側回転体３０を支持する回転支軸３３および誘導リング３２との間に配設されている。このように、駆動側回転体２０が配設されている空間と、従動側回転体３０が配設されている空間とは隔壁４０によって隔離されており、したがって、駆動側回転体２０から従動側回転体３０への回転力の伝達が非接触の状態で行われるようになっている。
【００３０】
ここで、駆動側回転体２０から従動側回転体３０への回転力の伝達について説明する。エンジンが駆動し、ウォーターポンププーリ２１が回転すると、その回転力が取付プレート２２を介して駆動側ケーシング２３およびスライド部材２４に伝達され、これにより、駆動側回転体２０が一体となって回転する。この駆動側回転体２０の回転にともなってマグネット２５が回転すると、従動側回転体３０の誘導リング３２の周囲の磁界が変化し、誘導リング３２のリング部材３２ｂには、その磁界の変化を妨げる方向への誘導電流が発生する。この誘導電流の発生にともなってトルクが発生し、これにより、従動側回転体３０が一体となって回転する。その結果、ポンプインペラ３１が回転し、ウォーターポンプ１０が駆動される。なお、マグネット２５と誘導リング３２のリング部材３２ｂとの間隔を小さく設定するほど、駆動側回転体２０から従動側回転体３０への回転力の伝達を効率よく行うことが可能になる。
【００３１】
そして、この実施形態では、駆動側回転体２０のマグネット２５と従動側回転体３０の誘導リング３２との相対的な対向位置を変更することによって、ウォーターポンプ１０の流量（ポンプ吐出量）を変更するようにしている。具体的には、マグネット２５と誘導リング３２との軸方向のオーバーラップ量（軸方向で互いに重なり合っている寸法）を変更することで、駆動側回転体２０から従動側回転体３０へ伝達されるトルクを変更し、これによって、従動側回転体３０の回転数を変更してウォーターポンプ１０の流量を変更するようにしている。上記オーバーラップ量は、スライド部材２４のスライド位置を変更することによって変更される。スライド部材２４のスライド位置は、図１に示す最もタイミングチェーンケース１２側の位置と、図２に示すタイミングチェーンケース１２側から最も離れた位置との間で変更可能になっている。
【００３２】
−実施形態の特徴部分−
この実施形態の特徴部分は、上述したようなウォーターポンプ１０において、作動室５０に封入される作動流体の膨張・収縮にしたがってスライド部材２４のスライド位置（軸方向位置）を変更し、マグネット２５と誘導リング３２との相対的な対向位置を変更する点にある。すなわち、マグネット２５と誘導リング３２との相対的な対向位置を変更するための構成、言い換えれば、上記オーバーラップ量を変更するための構成として、周囲の温度（冷却水温度）にしたがって膨張・収縮可能な特性を有する作動流体を、作動室５０に封入する構成を採用したことを特徴としている。以下、この特徴構成について詳しく説明する。
【００３３】
ウォーターポンプ１０のウォーターポンプハウジング１１と隔壁４０とによって囲まれた空間は、外気（大気）から遮断された密閉空間となっている。この密閉空間に、作動流体が封入される作動室５０が設けられている。また、この密閉空間には、空気室６０が作動室５０の隣りに並んで設けられている。作動室５０と空気室６０とは、スライド部材２４を挟んで軸方向に沿って並んで配置されている。言い換えれば、スライド部材２４によって、密閉空間が作動室５０と空気室６０とに区画されている。
【００３４】
作動室５０は、駆動側回転体２０の内部に設けられており、駆動側ケーシング２３とスライド部材２４との間で形成される空間となっている。具体的には、作動室５０は、駆動側ケーシング２３のケース部２３ｂと、スライド部材２４のスライド軸部２４ａおよびマグネット支持部２４ｂとによって囲まれた空間として構成されている。一方、空気室６０は、駆動側回転体２０を囲むように設けられている。そして、空気室６０は、ウォーターポンプハウジング１１と、隔壁４０と、駆動側ケーシング２３と、スライド部材２４との間で形成される空間となっている。作動室５０と空気室６０とは、上述したＯリング２８によって遮断されている。そして、作動室５０と空気室６０とは、ともに気密状態に保たれている。
【００３５】
作動室５０に封入される作動流体は、周囲の温度が低いとき（冷却水温度が低いとき）には収縮し、逆に、周囲の温度が高いとき（冷却水温度が高いとき）には膨張する特性を有する流体である。作動流体は、作動室５０内で、気体の状態で存在していてもよいし、液体の状態の存在していてもよい。また、作動流体は、気体と液体とが混ざり合った状態で存在していてもよい。さらに、作動流体は、空気と混ざり合った状態で存在していてもよい。
【００３６】
作動流体は、上記オーバーラップ量を変更するのに必要な膨張量（収縮量）を確保できる流体であれば、いかなるものであってもよいが、冷却水温度が変化する範囲で、熱膨張率が空気よりも大きい流体であることが好ましい。あるいは、作動流体は、沸点が冷却水温度の変化する範囲内にある流体であることが好ましい。このような作動流体としては、例えば、ジエチルエーテルが挙げられる。なお、ジエチルエーテルの沸点（大気圧下では約３５℃）は、作動室５０の内圧に応じて変化するので、空気室６０に封入する空気の加圧状態を調整することによって任意に設定することが可能である。この点は、ジエチルエーテル以外の流体を用いた場合も同様である。
【００３７】
一方、空気室６０には、そのような作動流体は封入されておらず、空気だけが封入されている。この実施形態では、空気が予め加圧された状態で空気室６０に封入されており、空気室６０の内圧が大気圧よりも高くなるように設定されている。
【００３８】
次に、以上のような作動流体を有する作動室５０を備えたウォーターポンプ１０の動作について説明する。
【００３９】
ウォーターポンプ１０においては、上述した密閉空間は、冷却水が流通するポンプ渦流室１２ｂに隣接して設けられており、しかも、ポンプ渦流室１２ｂとの間には隔壁４０だけしか介在されていないので、冷却水の温度がその密閉空間の作動室５０に封入されている作動流体に伝わりやすい状況となっている。このため、作動室５０の作動流体は、冷却水温度の変化に応じて膨張または収縮し、これにともない、作動室５０の内圧が上昇または低下する。なお、空気室６０の空気も冷却水温度の変化に応じて膨張または収縮して、空気室６０の内圧が上昇または低下するが、この空気室６０の内圧の変化は、作動室５０の内圧の変化に比べて緩やかになっている。
【００４０】
具体的には、冷却水温度が高くなれば、作動室５０の作動流体が膨張し、作動室５０の内圧が上昇する。ここで、作動流体の膨張は、気体状態の作動流体の膨張を意味するとともに、作動流体の気化にともなう膨張をも意味する。作動流体として、ジエチルエーテルを用いた場合、冷却水温度が高くなると、ジエチルエーテルが液体状態から気体状態に変化して膨張するとともに、気体状態のジエチルエーテルが膨張することで、作動室５０の内圧が上昇する。
【００４１】
逆に、冷却水温度が低くなれば、作動室５０の作動流体が収縮し、作動室５０の内圧が低下する。ここで、作動流体の収縮は、気体状態の作動流体の収縮を意味するとともに、作動流体の液化にともなう収縮をも意味する。作動流体として、ジエチルエーテルを用いた場合、冷却水温度が低くなると、気体状態のジエチルエーテルが収縮するとともに、ジエチルエーテルが気体状態から液体状態に変化して収縮することで、作動室５０の内圧が低下する。
【００４２】
そして、作動流体の膨張・収縮による作動室５０の内圧の変化にともなって、作動室５０の壁体を構成するスライド部材２４が軸方向に沿ってスライド移動する。つまり、作動流体の膨張・収縮にしたがってスライド部材２４のスライド位置が変更される。これにより、マグネット２５と誘導リング３２との上記オーバーラップ量が変更される。
【００４３】
具体的には、冷却水温度が上昇すると、作動室５０の作動流体が膨張して、スライド部材２４がタイミングチェーンケース１２側へ向けて移動する。これにより、上記オーバーラップ量が大きくなる。より詳細には、作動室５０の作動流体の膨張により、作動室５０の内圧が上昇する。そして、作動室５０の内圧が空気室６０の内圧を上回ると、作動室５０の内圧と空気室６０の内圧とがバランスを保つように、スライド部材２４がタイミングチェーンケース１２側へ向けて移動する。これにより、上記オーバーラップ量が大きくなり、駆動側回転体２０のマグネット２５の回転によって従動側回転体３０の誘導リング３２の周囲に発生する磁界が大きくなり、誘導リング３２のリング部材３２ｂに発生する誘導電流が大きくなる。この結果、駆動側回転体２０から従動側回転体３０へ伝達される回転力が大きくなり、ウォーターポンプ１０の流量が増大される。
【００４４】
この場合、冷却水温度が上昇するほど、作動室５０の作動流体の膨張量が大きくなり、スライド部材２４のスライド位置がタイミングチェーンケース１２側へ変更されて、上記オーバーラップ量が大きくなる。これにともない、駆動側回転体２０から従動側回転体３０へ伝達される回転力が大きくなり、ウォーターポンプ１０の流量が大きくなる。
【００４５】
そして、スライド部材２４が図１に示すスライド位置まで移動すると、マグネット２５のほぼ全体が誘導リング３２に対向する。このとき、上記オーバーラップ量が最大となり、駆動側回転体２０から従動側回転体３０へ伝達される回転力が最大となり、ウォーターポンプ１０の流量が最大となる。この場合、ストッパ２９によって、スライド部材２４のタイミングチェーンケース１２側への移動が規制されるようになっている。
【００４６】
これに対し、冷却水温度が低下すると、作動室５０の作動流体が収縮して、スライド部材２４がタイミングチェーンケース１２側とは反対側へ向けて移動する。これにより、上記オーバーラップ量が小さくなる。より詳細には、作動室５０の作動流体の収縮により、作動室５０の内圧が低下する。そして、作動室５０の内圧が空気室６０の内圧を下回ると、作動室５０の内圧と空気室６０の内圧とがバランスを保つように、スライド部材２４がタイミングチェーンケース１２側とは反対側へ向けて移動する。これにより、上記オーバーラップ量が小さくなり、駆動側回転体２０のマグネット２５の回転によって従動側回転体３０の誘導リング３２の周囲に発生する磁界が小さくなり、誘導リング３２のリング部材３２ｂに発生する誘導電流が小さくなる。この結果、駆動側回転体２０から従動側回転体３０へ伝達される回転力が小さくなり、ウォーターポンプ１０の流量が減少される。
【００４７】
この場合、冷却水温度が低下するほど、作動室５０の作動流体の収縮量が大きくなり、スライド部材２４のスライド位置がタイミングチェーンケース１２側とは反対側へ変更されて、上記オーバーラップ量が小さくなる。これにともない、駆動側回転体２０から従動側回転体３０へ伝達される回転力が小さくなり、ウォーターポンプ１０の流量が小さくなる。
【００４８】
そして、スライド部材２４が図２に示すスライド位置まで移動すると、マグネット２５の全体が誘導リング３２に対向しなくなる。このとき、上記オーバーラップ量が最小となり、駆動側回転体２０から従動側回転体３０へ伝達される回転力が最小となり、ウォーターポンプ１０の流量が最小となる。この場合、上記オーバーラップ量が「０」となり、ウォーターポンプ１０が停止するようになっている。なお、このとき、スライド部材２４の円板部２４ｃが駆動側ケーシング２３の円環部２３ｃに接触することによって、スライド部材２４の移動が規制されるようになっている。
【００４９】
したがって、例えばエンジンの暖機後のような温間時には、冷却水温度が高いので（例えば７０℃以上）、上記オーバーラップ量が大きくなり、その結果、図３の実線Ｌ１で示すように、ウォーターポンプ１０の流量を増大させて冷却効率を向上させることが可能になる。また、例えばエンジンの始動時のような冷間時には、冷却水温度が低いので（例えば２０度以下）、上記オーバーラップ量が小さくなり、その結果、図３の実線Ｌ２で示すように、ウォーターポンプ１０の流量を減少させてエンジンの早期暖機を図ることが可能になる。
【００５０】
以上のようなウォーターポンプ１０によれば、作動室５０に封入された作動流体が冷却水温度にしたがって膨張・収縮することによって、上記オーバーラップ量が変更されるので、例えば、負圧式のアクチュエータや、電動式のアクチュエータを用いて上記オーバーラップ量を変更する構成に比べて、極めて簡素な構成によりウォーターポンプ１０の流量を変更することができる。これにより、部品点数の削減やコストダウンを図ることができ、搭載性の向上を図ることができる。しかも、制御装置による複雑な制御を必要とすることなく、ウォーターポンプ１０の流量を変更することができる。さらに、予め適合を行うことも不要になり、そのための工数を省くことができる。また、ジエチルエーテルは、作動流体として適しており、図３に示すようなエンジンの冷間時および温間時のウォーターポンプ１０の流量の実現に好適である。
【００５１】
−他の実施形態−
以上、本発明の実施形態について説明したが、ここに示した実施形態はさまざまに変形することが可能である。
【００５２】
駆動側回転体２０から従動側回転体３０への回転力の伝達が非接触の状態で可能な構成であれば、駆動側回転体２０、従動側回転体３０、隔壁４０の構成部材や、それらの形状、配置位置などは、上述した場合だけに限定されず、さまざまに変更することが可能である。例えば、上記実施形態では、駆動側回転体２０にマグネット２５を設け、従動側回転体３０に誘導リング３２を設けたが、駆動側回転体に誘導リングを設け、従動側回転体にマグネットを設ける構成としてもよい。
【００５３】
また、マグネット２５と誘導リング３２のオーバーラップ量を変更可能な構成であれば、作動室５０、空気室６０の構成部材や、それらの形状、配置位置などは、上述した場合だけに限定されず、さまざまに変更することが可能である。例えば、上記実施形態では、マグネット２５の移動によりマグネット２５と誘導リング３２のオーバーラップ量を変更したが、誘導リング３２を移動させることによって、マグネット２５と誘導リング３２のオーバーラップ量を変更する構成としてもよい。
【００５４】
また、空気室６０内にコイルスプリングを圧縮状態で配設する構成としてもよい。この場合、作動室５０の内圧と、空気室６０の内圧およびコイルスプリングの付勢力とのバランスによって、スライド部材２４の軸方向への移動が可能になる。
【００５５】
上記実施形態では、予め加圧した空気を空気室６０に封入したが、空気の加圧は必ずしも必要ではない。また、空気室は、密閉空間ではなく、大気と連通した空間であってもよい。ただし、上述したように、空気室６０に予め空気を加圧した状態で封入する構成では、その空気圧を調整することによって、作動室５０の作動流体の沸点を適宜に設定することが可能になる。
【００５６】
上記実施形態では、タイミングチェーンケース１２の表面に設けられた凹陥部１２ａによりポンプ渦流室１２ｂを形成した場合について説明したが、エンジンのシリンダブロックを利用してポンプ渦流室を形成するものに対しても本発明は適用可能である。
【００５７】
上記実施形態では、自動車用エンジンに搭載され、エンジンからの駆動力を受けることで作動する車両用ウォーターポンプに本発明を適用した場合について説明した。本発明はこれに限らず、自動車用以外の用途に使用されるウォーターポンプに対しても適用することができる。また、ウォーターポンプの駆動源としてもエンジン（内燃機関）に限定されるものではなく、電動機（電動モータ）から駆動力を受けるものであってもよい。
【図面の簡単な説明】
【００５８】
【図１】実施形態に係るウォーターポンプを示す断面図であって、高水温時の状態を示す図である。
【図２】実施形態に係るウォーターポンプを示す断面図であって、低水温時の状態を示す図である。
【図３】高水温時および低水温時のエンジン回転数とウォーターポンプの流量との関係の一例を示す図である。
【符号の説明】
【００５９】
１０    ウォーターポンプ
１１    ウォーターポンプハウジング
１２    タイミングチェーンケース
１２ｂ  ポンプ渦流室
２０    駆動側回転体
２１    ウォーターポンプギア
２４    スライド部材（支持部材）
２５    マグネット（磁性体）
３０    従動側回転体
３１    ポンプインペラ
３２    誘導リング（誘導体）
３３    回転支軸
４０    隔壁
５０    作動室
６０    空気室
【図１】
2009114907.tif 000003
【図２】
2009114907.tif 000004
【図３】
2009114907.tif 000005